(57)【要約】【課題】  天井パネル及び壁パネルを仮置きすることができる接合金具を使用し、作業性に優れた接合構造及びその接合方法を提供することを目的としている。【解決手段】  建物の構造体の内側に配置する天井パネル２と壁パネル３との突き合わせ部の接合に用いる接合金具１であって、天井パネル２の一側縁から下向きに突出した天井パネル縁材部２ａを挿入する溝部１ａと、壁パネル３の上縁から背面方向に突出した壁パネル縁材部３ａを係止する棚部１ｂと、を一体に形成した金具本体に構造体へ固定する固定部１ｅを設けたことを特徴としている。  そして、構造体の所定の位置に固定した接合金具１の溝部１ａに天井パネル縁材部２ａを挿入し、天井パネル２を横移動させることによって天井パネル縁材部２ａと対向する天井パネル２の他側縁に設けた吊下げ部２ｂを受梁５に係止し、壁パネル３の壁パネル縁材部３ａを棚部１ｂに係止することを特徴としている。【選択図】  図１
2005344471.tif 000002
【特許請求の範囲】
【請求項１】
建物の構造体の内側に配置する天井パネルと壁パネルとの突き合わせ部の接合に用いる
接合金具であって、
前記天井パネルの一側縁から下向きに突出した天井パネル縁材部を挿入する溝部と、前
記壁パネルの上縁から背面方向に突出した壁パネル縁材部を係止する棚部と、を一体に形
成した金具本体に前記構造体へ固定する固定部を設けたことを特徴とする接合金具。
【請求項２】
建物の構造体の内側に天井パネルと壁パネルとを突き合わせ配置し接合する接合構造で
あって、
前記天井パネル縁材部を前記溝部に挿入し、前記溝部を形成する一対の側面部のうち前
記棚部を端部に設けた側面部に前記天井パネル縁材部を固定し、前記壁パネル縁材部を前
記棚部の上面に係止して前記天井パネル縁材部の前面に前記壁パネルを配置したことを特
徴とする請求項１記載の接合金具を用いた接合構造。
【請求項３】
前記壁パネル縁材部の高さと、前記棚部上面と前記天井パネル下面との間隔を略同一と
したことを特徴とする請求項２に記載の接合構造。
【請求項４】
建物の構造体の内側に天井パネルと壁パネルとを突き合わせ配置し接合する接合方法に
おいて、
前記構造体の所定の位置に前記固定部を固定し、前記天井パネル縁材部を前記溝部に挿
入し、前記天井パネルを横移動させることによって、前記天井パネル縁材部と対向する天
井パネルの他側縁に設けた吊下げ部を、前記構造体の天井部に設けた受梁に係止し、前記
棚部を端部に設けた側面部に前記天井パネル縁材部を固定し、前記壁パネル縁材部を前記
棚部に係止し、前記壁パネルを前記天井パネル縁材部の前面に固定することを特徴とした
請求項１に記載の接合金具を用いた接合方法。
【請求項５】
前記壁パネル縁材部の高さと、前記棚部上面と前記天井パネル下面との間隔を略同一と
し、該壁パネル縁材部を棚部上面と天井パネル下面の間に嵌合させることを特徴とする請
求項４に記載の接合方法。
【発明の詳細な説明】
【技術分野】
【０００１】
本発明は、建物の構造体の内側に配置する天井パネルと壁パネルとの突き合わせ部の接
合に用いる接合金具、及び天井パネルと壁パネルとを突き合わせ配置し接合する接合金具
を用いた接合構造、及びその接合方法に関するものである。
【背景技術】
【０００２】
近年、建設現場の作業効率を向上させるために建物をユニット化した部材で組み立てる
工法が普及している。
【０００３】
例えば特許文献１の小屋裏部屋付き屋根ユニットは、屋根裏にユニット化した小部屋を
構築する工法である。
【０００４】
この工法では、予め天井と壁と床を有する箱体を構築しておき、この箱体に柱や梁で構
成される建物の構造体及び屋根パネルを組み付けて屋根を構築する。
【０００５】
このように各構成部をユニット化し、現場で組み合わせるだけにしておけば、現場作業
の効率を大幅に向上させることができる。
【０００６】
また、管理された工場で専門の工員によって製作されたユニット部材は、施工精度が高
いため、高品質の建物を構築することができる。
【特許文献１】特開平６−１７３３８１号公報（図３）
【発明の開示】
【発明が解決しようとする課題】
【０００７】
しかしながら、従来のユニット工法にも作業性の面で改善の余地がある。
【０００８】
例えば図５に示すような接合構造を構築する場合は、構造体を構成する柱４に固定した
胴縁９に壁ボード１０を取り付ける際に、壁ボード１０が倒れないように作業者１２が手
で押さえながら電動ドリル１１を使用する。
【０００９】
壁ボード１０は自立できないため、予め必要な工具を準備して、壁ボード１０の配置、
固定を連続しておこなわなければならない。
【００１０】
石膏ボードなどで形成される壁ボード１０の胴縁９への固定は、上向きの作業となる上
に重い壁ボード１０を押さえつけながらの作業となるため、作業者１２の負担が大きい。
【００１１】
また、天井ボード１３や縁材部１４の取付け作業も、狭い空間の上向きの高所作業とな
るため、施工性に優れた工法が望まれる。
【００１２】
そこで、本発明は、天井パネル及び壁パネルを仮置きすることができる接合金具、接合
構造及び接合方法を提供することを目的としている。
【課題を解決するための手段】
【００１３】
前記目的を達成するために、請求項１の発明は、建物の構造体の内側に配置する天井パ
ネルと壁パネルとの突き合わせ部の接合に用いる接合金具であって、前記天井パネルの一
側縁から下向きに突出した天井パネル縁材部を挿入する溝部と、前記壁パネルの上縁から
背面方向に突出した壁パネル縁材部を係止する棚部と、を一体に形成した金具本体に前記
構造体へ固定する固定部を設けた接合金具であることを特徴としている。
【００１４】
また、請求項２に記載されたものは、建物の構造体の内側に天井パネルと壁パネルとを
突き合わせ配置し接合する接合構造であって、前記天井パネル縁材部を前記溝部に挿入し
、前記溝部を形成する一対の側面部のうち前記棚部を端部に設けた側面部に前記天井パネ
ル縁材部を固定し、前記壁パネル縁材部を前記棚部の上面に係止して前記天井パネル縁材
部の前面に前記壁パネルを配置した請求項１記載の接合金具を用いた接合構造であること
を特徴としている。
【００１５】
さらに、請求項３に記載されたものは、前記壁パネル縁材部の高さと、前記棚部上面と
前記天井パネル下面との間隔を略同一とした請求項２に記載の接合構造であることを特徴
としている。
【００１６】
また、請求項４に記載された方法は、建物の構造体の内側に天井パネルと壁パネルとを
突き合わせ配置し接合する接合方法において、前記構造体の所定の位置に前記固定部を固
定し、前記天井パネル縁材部を前記溝部に挿入し、前記天井パネルを横移動させることに
よって、前記天井パネル縁材部と対向する天井パネルの他側縁に設けた吊下げ部を、前記
構造体の天井部に設けた受梁に係止し、前記棚部を端部に設けた側面部に前記天井パネル
縁材部を固定し、前記壁パネル縁材部を前記棚部に係止し、前記壁パネルを前記天井パネ
ル縁材部の前面に固定する請求項１に記載の接合金具を用いた接合方法であることを特徴
としている。
【００１７】
さらに、請求項５に記載された方法は、前記壁パネル縁材部の高さと、前記棚部上面と
前記天井パネル下面との間隔を略同一とし、該壁パネル縁材部を棚部上面と天井パネル下
面の間に嵌合させる請求項４に記載の接合方法であることを特徴としている。
【発明の効果】
【００１８】
このように構成された請求項１の発明は、前記天井パネル縁材部を挿入可能な溝部と、
前記壁パネルを係止可能な棚部を有する接合金具である。
【００１９】
このため、固定する前の天井パネル及び壁パネルを一時的に支持することができる。す
なわち作業者は、固定前に天井パネルや壁パネルから手を離すことができるので作業性に
優れている。
【００２０】
また、請求項２に記載されたものは、前記天井パネル縁材部を前記溝部に挿入し、前記
棚部を端部に設けた側面部に前記天井パネル縁材部を固定する。そして、前記壁パネル縁
材部を前記棚部の上面に係止することで、前記天井パネル縁材部の前面に前記壁パネルを
配置する。
【００２１】
このため、天井パネルと接合金具の接合部を壁パネルによって覆い隠すことができる。
【００２２】
また、天井パネルと壁パネルの突き合わせ部を直角に仕上げることができる。
【００２３】
さらに、請求項３に記載されたものは、前記壁パネル縁材部の高さと、それを挿入する
前記棚部上面と前記天井パネル下面との間隔が略同一である。
【００２４】
このため両者はほとんど隙間なく嵌合するので、壁パネルは仮置きしただけで姿勢が安
定し、容易に壁パネルの固定作業をおこなうことができる。
【００２５】
また、請求項４に記載された方法は、前記溝部に前記天井パネル縁材部を挿入した後に
、横移動させることによって前記天井パネルを仮置きする。
【００２６】
このため、作業者が天井パネルを支持する力が早い時点で軽減され、その後の作業者の
負担を減らすことができる。また、前記壁パネルも前記棚部に仮置きした状態で固定作業
をおこなう。このため、作業者の負担が少なく、作業性に優れている。
【００２７】
そして、請求項５に記載された方法は、前記棚部上面と前記天井パネル下面との間隔と
前記壁パネル縁材部の高さを略同一とし、該壁パネル縁材部を前記棚部上面と前記天井パ
ネル下面との間に嵌合することで壁パネルを設置する。
【００２８】
このため、容易に壁パネルを正確な位置に配置することができる。
【発明を実施するための最良の形態】
【００２９】
以下、本発明の最良の実施の形態について図面を参照して説明する。
【００３０】
なお、前記従来例と同一乃至均等な部分については、同一符号を付して説明する。
【００３１】
図１は、本実施の形態による接合金具を用いた接合構造を示している。
【００３２】
まず、構成から説明すると、このような本実施の形態の接合構造は、建物の天井を形成
する天井パネル２と、内壁を形成する壁パネル３と、両者の突き合わせ部の接合に用いる
接合金具１を有する構造である。
【００３３】
天井パネル２と壁パネル３は、柱４、梁、外壁などによって構成される建物の構造体の
内側に配置する。柱４や梁などの建物の構造体は、例えば鋼材や木材などで骨組み構造に
構築する。
【００３４】
天井パネル２は、天井面を形成する天井ボード２ｃと、天井パネル２の一側縁から下向
きに突出した天井パネル縁材部２ａを有する。
【００３５】
天井ボード２ｃは石膏ボードや合板などで形成する。天井ボード２ｃの背面には、必要
に応じてグラスウールなどの断熱材を配置する。
【００３６】
天井パネル縁材部２ａは、壁パネル３と接合する側の天井パネル２の縁部に設ける。天
井パネル縁材部２ａは、天井ボード２ｃの下面よりも下方に突出するように形成する。天
井パネル縁材部２ａは、天井ボード２ｃの端面に合板等の板材や角材を取り付けることに
よって形成できる。
【００３７】
天井パネル２の天井パネル縁材部２ａを設けた一側縁と対向する側の他側縁には、吊下
げ部２ｂを設ける。
【００３８】
吊下げ部２ｂは、天井パネル縁材部２ａとは反対側となる上方に突出した部材で、先端
を直角に折り曲げて受梁５に係止可能な形状に成形する。ここで、受梁５とは天井パネル
２の一端を支持するために構造体の天井部に配置される梁部材である。
【００３９】
吊下げ部２ｂは、先端部が断面Ｌ型に曲がった金属板を天井パネル２の縁部に取り付け
ることで形成できる。ここで、縁部とは必ずしもパネルの端面を指すものではなく、端面
から一定の幅を持った帯状の範囲をいう。
【００４０】
本実施の形態では、図１に示すように、吊下げ部２ｂは天井パネル２の端面から少し内
側（天井パネル縁材部２ａ側）に入った位置に取り付けられている。
【００４１】
吊下げ部２ｂのＬ型に折れ曲がった先端部と、天井パネル２の上面の隙間は、少なくと
も受梁５の係止部５ａが挿入できる間隔を確保する。ここで受梁５の係止部５ａとは、受
梁５から壁パネル３方向に突出した棚状又は棒状の突出部であって、吊下げ部２ｂを介し
て天井パネル２の一端を支持する強度を有する。
【００４２】
壁パネル３は、壁面を形成する壁ボード３ｂと、壁パネル３の上縁において壁パネル３
の背面方向に突出した壁パネル縁材部３ａを有する。
【００４３】
壁パネル縁材部３ａは、角材などを壁ボード３ｂの上縁に固定して形成する。壁ボード
３ｂは石膏ボードや合板などで形成する。壁ボード３ｂの背面には、必要に応じてグラス
ウールなどの断熱材を配置する。
【００４４】
壁パネル縁材部３ａの高さは、建物の構造体に固定した接合金具１の棚部１ｂ上面と設
置後の天井パネル２下面との間隔と略同一とすることができる。
【００４５】
接合金具１は、天井パネル２と壁パネル３の突き合わせ部を接合する金具である。図２
に接合金具１の一部切断斜視図を示す。
【００４６】
接合金具１は、天井パネル２の天井パネル縁材部２ａを挿入するための溝部１ａと、壁
パネル３の壁パネル縁材部３ａを係止するための棚部１ｂと、を一体に形成した金具本体
に、金具本体を柱４等へ固定するための固定部１ｅを設けたものである。
【００４７】
金具本体は、例えば１枚の金属板を折り曲げ加工して製作する。
【００４８】
間隔をおいて配置される一対の側面部１ｃ，１ｄに挟まれた空間が溝部１ａとなる。溝
部１ａの幅は、挿入する天井パネル縁材部２ａの厚みより広く設定し、挿入後に天井パネ
ル縁材部２ａが横移動できるようにする。
【００４９】
さらに溝部１ａの幅は、横移動させた天井パネル２の吊下げ部２ｂが、受梁５の係止部
５ａに係止可能な幅に設定する。
【００５０】
一方の側面部１ｃには、先端から所定の間隔を置いた位置で直角に折り曲げて棚部１ｂ
を設ける。また、天井パネル縁材部２ａをネジ７で固定するためのネジ穴７ａを側面部１
ｃに設ける。
【００５１】
棚部１ｂは、壁パネル３の壁パネル縁材部３ａを一時的に係止し、支持できるだけの面
積と強度を確保する。
【００５２】
固定部１ｅは、金具本体を柱４や外壁等に固定するための部位であり、例えば金属板の
所定の位置にネジ穴７ａを設けて製作する。
【００５３】
固定部１ｅは、接合金具１を取り付ける位置、及び向きによって、他方の側面部１ｄの
背面に固定したり、溝部１ａの延伸方向の端に固定したりする。
【００５４】
また、他方の側面部１ｄ自体にネジ穴７ａを開口して固定部１ｅとすることもできる。
【００５５】
次に、接合金具を用いた接合方法を述べることによってこの実施の形態の作用について
説明する。
【００５６】
図３及び図４は、接合方法の手順を示した図である。図３では天井パネルの設置方法に
ついて説明し、図４では壁パネルの設置方法について説明する。
【００５７】
最初に柱４や、柱４の上端間を連結する水平材６等からなる建物の構造体を構築する。
【００５８】
そして接合金具１を所定の位置に取り付ける。
【００５９】
接合金具１は、レール状に延伸した長尺形状とすることもできるが、天井パネル２を部
分的に支える、柱４の幅程度の長さの金具であればよい。例えば、前面に壁パネル３を配
置する柱４の上部に接合金具１を取り付ける。
【００６０】
接合金具１はすべての柱に取り付ける必要はない。天井パネル２を一時的に支持できる
のであれば、１枚の天井パネル２の天井パネル縁材部２ａを２箇所で支えるように配置す
ればよい。
【００６１】
また、１箇所でも天井パネル２を充分に支持できる場合は、天井パネル縁材部２ａの中
央部付近が設置される１箇所に配置するだけでもよい。
【００６２】
接合金具１は、ネジ７で固定部１ｅを柱４や外壁等の建物の構造体に固定することによ
って取り付けることができる。
【００６３】
柱４，４の上端間に並行に配置した複数の水平材６，６，・・・間には、水平材６と直
交する方向に受梁５を配置する。
【００６４】
受梁５の下端面には天井パネル２の吊下げ部２ｂを係止するための係止部５ａを設けて
おく。
【００６５】
係止部５ａは、受梁５の下端に受梁５より幅が広い合板を取り付けることによって形成
できる。
【００６６】
接合金具１と受梁５の間隔は天井パネル２の幅より狭いため、水平にした天井パネル２
を下から持ち上げただけでは設置することができない。
【００６７】
そこで、天井パネル２を傾けた状態で持ち上げ、天井パネル縁材部２ａを接合金具１の
溝部１ａに挿入する。
【００６８】
そして、天井パネル２の一端を接合金具１で支持させながら、天井パネル２の下がった
側を持ち上げて水平にする。
【００６９】
水平状態にした天井パネル２は横移動させる。横移動は、吊下げ部２ｂの先端が受梁５
の係止部５ａの上面を上回る位置まで持ち上げておこなう。
【００７０】
移動時の天井パネル２の一端は、天井パネル縁材部２ａを介して接合金具１によって支
持させることもできる。
【００７１】
天井パネル２を受梁５方向に横移動させると、吊下げ部２ｂが受梁５の係止部５ａに係
止可能な状態になる。すなわち、天井パネル２を接合金具１と受梁５で支持させることが
できる。
【００７２】
また、天井パネル２を横移動させて棚部１ｂを設けた側面部１ｃに天井パネル縁材部２
ａを接触させると、他方の側面部１ｄと天井パネル縁材部２ａの間に隙間ができる。この
隙間に合板などで形成した間詰材８を配置して、天井パネル２が移動しないように仮固定
する。
【００７３】
そして、接合金具１の側面部１ｃのネジ穴７ａから挿入したネジ７によって天井パネル
縁材部２ａを固定する。これによって、天井パネル２の一端が接合金具１に固定される。
【００７４】
天井パネル２の吊下げ部２ｂを設けた側の縁部は、下方から打ち込んだネジ７によって
受梁５に固定する（図１参照）。
【００７５】
天井パネル２を固定した後に、天井パネル２下面と接合金具１の棚部１ｂとの隙間に壁
パネル３に設けた壁パネル縁材部３ａを挿入し、棚部１ｂに壁パネル縁材部３ａを係止す
る（図４参照）。
【００７６】
壁パネル縁材部３ａを棚部１ｂに係止させると、側面部１ｃと天井パネル縁材部２ａの
固定箇所は壁パネル３によって覆い隠される。
【００７７】
また、設置された接合金具１の棚部１ｂ上面と天井パネル２下面との間隔が、壁パネル
縁材部３ａの高さと略同一であって、壁ボード３ｂの上端が壁パネル縁材部３ａの上面よ
り突出していなければ、次のように壁パネル３を設置できる。
【００７８】
まず、壁パネル３の上端が天井パネル２の下面に接触するまで持ち上げた後に、壁パネ
ル３を横移動させる。棚部１ｂ上面と天井パネル２下面との間隔は壁パネル縁材部３ａの
高さと略同一であるため、壁パネル縁材部３ａは棚部１ｂ上面と天井パネル２下面との隙
間に嵌合される。
【００７９】
天井パネル２は既に接合金具１に固定されているため、壁パネル３を押し当てた力によ
って移動することはなく、壁パネル３は天井パネル２のガイドによって所定の位置に配置
される。
【００８０】
一時的に棚部１ｂで支持された壁パネル３は、壁パネル縁材部３ａを貫通して天井パネ
ル縁材部２ａまで達するネジ７によって固定する。天井パネル縁材部２ａは壁パネル縁材
部３ａの背面に位置するため、ネジ７を水平に打ち込めば固定することができる。
【００８１】
天井パネル縁材部２ａは天井パネル２の一部であるため、天井パネル縁材部２ａを介し
て天井パネル２に壁パネル３を固定したことになる。また、接合金具１を介して建物の構
造体にも壁パネル３を固定したことになる。
【００８２】
ネジ７で壁パネル３を固定する際に、壁パネル縁材部３ａと天井パネル２下面及び棚部
１ｂ上面の間にほとんど隙間がなければ、壁パネル３の上下方向のがたつきはほとんど生
じない。
【００８３】
このようにして形成された天井パネル２と壁パネル３との突き合わせ部は、天井ボード
２ｃと壁ボード３ｂが直交した形態になる。
【００８４】
以上に述べたような接合方法によれば、天井パネル３の一側縁が早い時点で接合金具１
によって支持される。このため、それ以降の天井パネル２を支えるための作業者１２の負
担が軽減される。
【００８５】
また、天井パネル２は、接合金具１と受梁５によって一時的に支持される。このため、
ネジ７で固定する前であっても作業者１２は天井パネル２から手を離すことができる。
【００８６】
また、重い天井パネルを作業者１２自身が支えなくともよいため、微妙な位置調整も容
易におこなえる。
【００８７】
さらに、接合金具１に設けた棚部１ｂによって壁パネル３を一時的に支持することがで
きる。このため、壁パネル３を所定の位置に配置した後に、作業者１２は壁パネル３から
手を離すことができる。
【００８８】
このため、作業の自由度が大きく、作業者１２の負担も軽減されるので作業性に優れて
いる。
【００８９】
また、天井パネル２と壁パネル３との突き合わせ部の接合に用いる接合金具１は、前面
に配置された壁パネル３によって覆い隠すことができる。
【００９０】
また、天井パネル２と壁パネル３との突き合わせ部を、天井ボード２ｃの平面と壁ボー
ド３ｂの平面が直交する形態に仕上げることができる。
【００９１】
また、壁パネル縁材部３ａの高さと、棚部１ｂ上面と天井パネル２下面との間隔を略同
一とすれば、天井パネル２下面がガイドになって壁パネル３を正確な位置に容易に設置す
ることができる。
【００９２】
さらに、壁パネル３を設置した後も、棚部１ｂ上面と天井パネル２下面によって壁パネ
ル縁材部３ａの移動が拘束されるため、固定作業中であっても壁パネル３が上下にずれる
ことがほとんどない。
【００９３】
以上、図面を参照して、本発明の最良の実施の形態を詳述してきたが、具体的な構成は
、この実施の形態に限らず、本発明の要旨を逸脱しない程度の設計的変更は、本発明に含
まれる。
【００９４】
例えば、上記実施の形態では、壁パネル３を天井パネル２の天井パネル縁材部２ａに固
定したが、ネジ７を斜めに打ち込むことで壁パネル３を直接、天井パネル２に固定するこ
ともできる。
【００９５】
また、固定手段としてネジ７を使用したが、釘や接着剤などを使用することもできる。
【００９６】
さらに、吊下げ部２ｂには断面Ｌ型の金具を使用したが、受梁５からの突出部を棒材と
し、その棒材に挿入可能な穴を設けた部材を吊下げ部２ｂとすることもできる。
【図面の簡単な説明】
【００９７】
【図１】本発明の最良の実施の形態の接合金具を用いた接合構造を示した断面図である。
【図２】本発明の最良の実施の形態の接合金具を示した一部切断斜視図である。
【図３】本発明の最良の実施の形態の接合方法の天井パネルを配置するときの説明図である。
【図４】本発明の最良の実施の形態の接合方法の壁パネルを配置するときの説明図である。
【図５】従来の天井パネルと壁パネルの接合方法の説明図である。
【符号の説明】
【００９８】
１            接合金具
１ａ          溝部
１ｂ          棚部
１ｃ、１ｄ    側面部
１ｅ          固定部
２            天井パネル
２ａ          天井パネル縁材部
２ｂ          吊下げ部
２ｃ          天井ボード
３            壁パネル
３ａ          壁パネル縁材部
３ｂ          壁ボード
４            柱（建物の構造体）
５            受梁
５ａ          係止部
６            水平材（建物の構造体）
【図１】
2005344471.tif 000003
【図２】
2005344471.tif 000004
【図３】
2005344471.tif 000005
【図４】
2005344471.tif 000006
【図５】
2005344471.tif 000007